(57)【要約】【課題】本発明は、携帯電話、携帯式のゲーム機、携帯式のコンピュータ、携帯式の辞書等のように、画面を有し、その画面に対して画像形成手段からの信号で画像を形成する携帯機器に関するもので、携帯機器からのクロック信号やその高調波信号の一部による影響を抑制することを目的とするものである。【解決手段】そしてこの目的を達成するために本発明は、携帯機器の本体１に着脱自在に装着する画像受信器５を設けるとともに、この画像受信器５は、入力側から順にアンテナ７、アンテナ整合器１１、チューナ１２を設け、前記アンテナ整合器１１とチューナ１２との間に、ノイズキャンセル手段１７からのノイズキャンセル信号を供給する構成とした。【選択図】図２
2008022294.tif 000002
【特許請求の範囲】
【請求項１】
画面を有する本体と、この本体内に設けられると共に、前記画面への画像を形成する画像形成手段と、前記本体に着脱自在に装着した画像受信器とを備え、前記画像受信器は、入力側から順にアンテナ、アンテナ整合器、チューナを設け、前記アンテナ整合器とチューナとの間に、ノイズキャンセル手段からのノイズキャンセル信号を供給する構成とした携帯機器。
【請求項２】
ノイズキャンセル手段は、本体内の画像形成手段からアンテナに伝播するノイズをキャンセルする構成とした請求項１に記載の携帯機器。
【請求項３】
ノイズキャンセル手段は、信号ラインあるいは制御ラインから、画像形成手段によるノイズを検出する構成とした請求項１または２に記載の携帯機器。
【請求項４】
ノイズキャンセル手段は、本体の第１のアースから、画像形成手段によるノイズを検出する構成とした請求項１または２に記載の携帯機器。
【請求項５】
本体の第２のアースと画像受信器の第３のアースの間には、ＵＨＦ帯を阻止するインピーダンス素子が挿入された請求項４に記載の携帯機器。
【請求項６】
インピーダンス素子は、高周波チョークコイルが挿入された請求項５に記載の携帯機器。
【請求項７】
インピーダンス素子は、導体を用いるとともに、この導体にフェライトコアが挿入された請求項５に記載の携帯機器。
【発明の詳細な説明】
【技術分野】
【０００１】
本発明は、携帯電話、携帯式のゲーム機、携帯式のコンピュータ、携帯式の辞書等のように、画面を有し、その画面に対して画像形成手段からの信号で画像を形成する携帯機器に関するものである。
【背景技術】
【０００２】
近年の上記携帯機器は、部品の小型化、半導体素子の集積化がますます進んだことから、非常に軽く、また小形化が進んでいる。
【０００３】
また、非常に軽く、また小型化が進んだことから、その機能をますます充実化する試みも活発に行われている。
【０００４】
たとえば上記携帯機器に、たとえばカード式の画像受信器を着脱自在に装着し、テレビジョン放送が受信できるようにしたものもある（一例としては下記特許文献１が存在する）。
【特許文献１】特開平８−２３７１５４号公報
【発明の開示】
【発明が解決しようとする課題】
【０００５】
上述の如く携帯機器に、たとえばカード式の画像受信器を着脱自在に装着すれば、テレビジョン放送が受信できるようになるので、ますます便利になったが、一方では近年の上記携帯機器ではますます機能アップが図られることとなった結果として、この携帯機器からのノイズが問題となってきた。
【０００６】
すなわち、この種の機能アップされた携帯機器では、動作タイミングを取るためのクロック信号が必ず形成されており、このクロック信号やその高調波信号の一部が、画像受信器に混信し、この結果としてテレビジョン放送受信時における画像や音声が大きく乱れることになることがあった。
【０００７】
特に最近始まったいわゆる１セグメント放送では、アナログ信号への妨害を考慮してそもそも送信信号の電力が小さいので、放送電波の受信レベルが低い場所におけるテレビジョン放送視聴時には、上記携帯機器からのクロック信号やその高調波信号の一部による影響は大きく、画像や音声が大きく乱れるだけでなく、放送自体を受信できない事態になることがあった。
【０００８】
そこで本発明は、携帯機器からのクロック信号やその高調波信号の一部による影響を抑制することを目的とするものである。
【課題を解決するための手段】
【０００９】
そしてこの目的を達成するために本発明は、携帯機器の本体に着脱自在に装着する画像受信器を設けるとともに、この画像受信器は、入力側から順にアンテナ、アンテナ整合器、チューナを設け、前記アンテナ整合器とチューナとの間に、ノイズキャンセル手段からのノイズキャンセル信号を供給する構成とし、これにより初期の目的を達成するものである。
【発明の効果】
【００１０】
以上の如く本発明は、携帯機器の本体に着脱自在に装着する画像受信器を設けるとともに、この画像受信器は、入力側から順にアンテナ、アンテナ整合器、チューナを設け、前記アンテナ整合器とチューナとの間に、ノイズキャンセル手段からのノイズキャンセル信号を供給する構成としたものであるので、携帯機器からのクロック信号やその高調波信号の一部が画像受信器のアンテナから侵入したとしても、前記アンテナ整合器とチューナとの間に供給したノイズキャンセル手段からのノイズキャンセル信号により、その影響は大幅に抑制されることになる。
【発明を実施するための最良の形態】
【００１１】
図１において、１は携帯電話、携帯式のゲーム機、携帯式のコンピュータ、携帯式の辞書等のような携帯機器の本体で、この本体１の表面には、液晶方式の画面２と、各種操作ボタン３が設けられている。
【００１２】
またこの本体１の側面に設けた挿入口４には、画像受信器５のプラグ６が着脱自在に挿入されるようになっている。すなわち、本体１の画面２で、テレビジョン放送の視聴時には、先ず上記挿入口４に、画像受信器５のプラグ６を挿入し、次に画像受信器５のアンテナ７を破線の如く本体１に対して直交するように引き出し、その後希望チャネルを操作ボタン３により選択するようになっている。
【００１３】
図２は主要部の電気的なブロック図を示しており、先ず本体１内には、画面２への画像・音声出力部８が設けられ、またこの画像・音声出力部８には信号処理部９とコントロール部１０が接続されている。
【００１４】
そして、本体１と画像受信器５の間には、信号ライン、制御ラインが接続されている。さらに本体１のアース１ａと画像受信器５のアース５ａとの間にはアースライン５ｂが接続されている。
【００１５】
次に画像受信器５のアンテナ７には、アンテナ整合器１１、チューナ１２、復調部１３が順次接続されている。
【００１６】
復調部１３の出力信号は信号処理部９で処理され、画像・音声出力部８に供給されることによって、画面２とスピーカ１４によるテレビジョン放送の視聴が可能となる。
【００１７】
ところで上記アンテナ整合器１１はアンテナ７側の整合器１５とその後続の増幅器１６とにより構成され、これにより短いアンテナ７でも受信感度を向上すると共に、インピーダンス整合を図っている。
【００１８】
さてこのように構成されたアンテナ整合器１１とチューナ１２との間には、ノイズキャンセル手段１７が接続され、このノイズキャンセル手段１７により、前記アンテナ整合器１１とチューナ１２との間に、ノイズキャンセル信号を供給する構成としている。
【００１９】
すなわちノイズキャンセル手段１７は携帯機器の本体１のアース１８から、この本体１からアンテナ７に侵入するのと同様のノイズ信号を位相制御器１９に供給し、ここでノイズ信号を反転してノイズキャンセル信号を作る。
【００２０】
なお、ノイズキャンセル手段１７へ供給するノイズキャンセル信号は、本体１のアース１８の代わりに画像受信器５内のアースを用いてもよい。
【００２１】
図３は本発明の他の実施形態を示し、この例では、ノイズキャンセル手段１７へのノイズキャンセル信号は、本体１と画像受信器５の間を接続する信号ライン、制御ラインのいずれか一つに結合コンデンサ１７ａを介して供給している。
【００２２】
この結合コンデンサ１７ａは、ＵＨＦ帯の信号を通過する容量値として例えば１〜２０ｐＦを用いることができる。これら信号ライン、制御ラインに重畳したノイズ信号は、アース１８よりも大きな信号レベルであるので、ノイズキャンセル手段１７に対して十分な大きさとできる。また、結合コンデンサ１７ａを用いているので、十分に低い周波数を扱う信号ライン、制御ラインに対して影響を与えることがない。
【００２３】
図４は、本発明の他の実施形態を示し、この例では、ノイズキャンセル手段１７へのノイズキャンセル信号は、本体１のアース１８から供給されている。さらに、本体１のアース１ａと画像受信器５のアース５ａとの間にはアースライン５ｂの代わりにインピーダンス素子５ｃが接続されている。
【００２４】
このインピーダンス素子５ｃは、ＵＨＦ帯を阻止する高周波チョークコイルを用いることができ、ＵＨＦ帯に対して大きな減衰特性を持たすことができる。また、このインピーダンス素子５ｃは、アース１ａとアース５ａとを導体で接続するとともにこの導体にＵＨＦ帯を阻止するフェライトコアを挿入して用いてもよい。この場合には、広範囲な周波数帯域に渡って大きな減衰特性を持たすことができる。
【００２５】
このようにして、インピーダンス素子５ｃを用いることにより、本体１と画像受信器５とは直流的に接続されるが、ＵＨＦ帯以上の周波数において分離されることになる。つまり、ＵＨＦ帯であるノイズ信号は、アース１ａでなくアース１８を介して供給されることになるので、ノイズキャンセル手段１７に対して十分な大きさのノイズキャンセル信号を供給できる。
【００２６】
このノイズキャンセル信号は、次に利得制御器２０でノイズキャンセルとしてのレベル調整を行い、最後にＵＨＦ帯の信号を通過させるバンドパスフィルター２１を介して、上述の如くアンテナ整合器１１とチューナ１２との間に、ノイズキャンセル信号を供給する。
【００２７】
このようにして、ノイズキャンセル手段１７の制御部２２は、上述した位相制御器１９による位相制御と、利得制御器２０によるレベル調整を行うためのものである。このノイズキャンセル手段１７により形成したノイズキャンセル信号を、アンテナ整合器１１とチューナ１２との間に供給すれば、本体１側からアンテナ７にノイズ信号が侵入しても、それとは位相が反転し、ほぼ同じレベルのノイズキャンセル信号により実質的にキャンセルされ、上記本体１側からアンテナ７へと侵入するノイズ信号による影響を大幅に抑制することができる。
【００２８】
なお、本体１側からアンテナ７へと侵入するノイズ信号が妨害となるのは、アンテナ７による受信信号が小さな場合である。従って、受信信号レベルの良好な場合には、ノイズキャンセル手段１７を動作させる必要がない。例えば復調部１３あるいは信号処理部９から出力される信号品質データに基づいてノイズキャンセル手段１７を動作開始、動作停止の制御をすることができる。この信号品質データには、例えばＢＥＲ、あるいはＣ／Ｎ等を用いればよい。
【００２９】
また、ノイズキャンセル手段１７の出力はアンテナ整合器１１とチューナ１２の接続点に接続している。このアンテナ整合器１１の出力インピーダンスは、チューナ１２の入力インピーダンスである７５Ωとしている。これに対して、ノイズキャンセル手段１７の出力インピーダンスを例えば６ＫΩと高いインピーダンスとしている。この高い出力インピーダンスをチューナ１２の入力インピーダンス７５Ωに接続するので、チューナ１２の入力インピーダンス７５Ωは、影響を受けることがない。つまり、ノイズキャンセル手段１７により受信感度が損なわれることがない。
【００３０】
なお、ノイズキャンセル手段１７の出力を、チューナ１２の入力からチューナ１２に内蔵されている利得制御器（図示せず）の入力までの間に接続しても、同様の効果が得られる。
【００３１】
図５はテレビジョン放送がいわゆる１セグメント放送であった場合のノイズ信号例を示したものである。
【００３２】
まず、この１セグメント放送は４７０ＭＨｚ〜７７０ＭＨｚを６ＭＨｚごとに区切って１ｃｈ放送をするものであり、本実施形態では現在４０ｃｈを受信している状態を示している。
【００３３】
Ａが現在の使用環境での受信信号レベルで、Ｂは本体１からのアンテナ７に侵入したノイズ信号レベルで、本実施形態の如くノイズキャンセルをしない状態では、ノイズ信号レベルＢが受信信号レベルＡよりも非常に大きな状態であるので、希望の４０ｃｈは受信不可能の状態となっている。
【００３４】
そこで本実施形態では上述の如くアンテナ整合器１１とチューナ１２との間に、ノイズキャンセル信号を供給するものであり、この結果ノイズ信号レベルＢは破線ｂの如く、受信信号レベルＡよりも十分に小さくなるので、この結果として希望の４０ｃｈはクリアーに受信できることとなる。
【００３５】
つまり現在４０ｃｈを受信しようとしていることはコントロール部１０が判別できており、よってこのコントロール部１０により上記位相制御器１９による位相制御と、利得制御器２０によるレベル調整を行い、これにより、４０ｃｈ部分のノイズ信号レベルＢ部分を選択的にダウンさせることが可能となる。
【００３６】
図６は本発明の他の実施形態を示し、この例では、画像受信器５Ａを縦型とし、本体１の挿入口４Ａに挿入したものである。
【００３７】
またこの縦型の画像受信器５Ａにおいては、アンテナ７Ａは、画像受信器５Ａを本体１の挿入口４Ａに挿入した状態で既に本体１に対して直交しているので、本体１からアンテナ７Ａにノイズが侵入しにくくなる。
【産業上の利用可能性】
【００３８】
以上の如く本発明は、携帯機器の本体に着脱自在に装着する画像受信器を設けるとともに、この画像受信器は、入力側から順にアンテナ、アンテナ整合器、チューナを設け、前記アンテナ整合器とチューナとの間に、ノイズキャンセル手段からのノイズキャンセル信号を供給する構成としたものであるので、携帯機器からのクロック信号やその高調波信号の一部が画像受信器のアンテナから侵入したとしても、前記アンテナ整合器とチューナとの間に供給したノイズキャンセル手段からのノイズキャンセル信号により、その影響は大幅に抑制されることになる。
【００３９】
したがって、携帯機器によりテレビジョン放送が楽しみやすいものとなる。
【図面の簡単な説明】
【００４０】
【図１】本発明の一実施形態の携帯機器を示す平面図
【図２】本発明の一実施形態の携帯機器の電気的なブロック図
【図３】本発明の他の実施形態の携帯機器の電気的なブロック図
【図４】本発明の他の実施形態の携帯機器の電気的なブロック図
【図５】本発明の一実施形態の携帯機器による受信状態を示す図
【図６】本発明の他の実施形態の携帯機器を示す平面図
【符号の説明】
【００４１】
１  本体
２  画面
５  画像受信器
７  アンテナ
１１  アンテナ整合器
１２  チューナ
１７  ノイズキャンセル手段
【図１】
2008022294.tif 000003
【図２】
2008022294.tif 000004
【図３】
2008022294.tif 000005
【図４】
2008022294.tif 000006
【図５】
2008022294.tif 000007
【図６】
2008022294.tif 000008